(57)【要約】【課題】内部に水滴が浸入することのない防水性能を有し、製品の依頼性及び耐久性を高めることのできる防水型コネクタを提供する。【解決手段】本発明は、樹脂製のハウジング２と、ハウジング２内に挿入される金属製のコンタクト３及びシェル４と、を備える、防水型コネクタ１であって、コンタクト３及びシェル４がハウジング２に圧入されることで防水性能を有することを特徴とする。【選択図】図７
2014026860.tif 000002
【特許請求の範囲】
【請求項１】
樹脂製のハウジングと、該ハウジング内に挿入される金属製のコンタクト及びシェルと、を備える、防水型コネクタであって、
前記コンタクト及び前記シェルが前記ハウジングに圧入されることで防水性能を有することを特徴とする防水型コネクタ。
【請求項２】
前記コンタクト及び前記シェルは外側に突出する突起が形成された圧入部を備え、該圧入部は前記突起から前記ハウジングに対する前記シェル及び前記コンタクトの挿入方向に沿って次第に幅狭となる傾斜部を備えていることを特徴とする請求項１に記載の防水型コネクタ。
【請求項３】
前記コンタクト及び前記シェルが挿入される前記ハウジングの内部には、前記コンタクト及び前記シェルの挿入方向に沿って次第に細くなる圧入空間が形成されていることを特徴とする請求項１又は２に記載の防水型コネクタ。
【請求項４】
前記コンタクト及び前記シェルが挿入される前記ハウジングの内部には、内面が撥水加工された圧入空間が形成されていることを特徴とする請求項１又は３に記載の防水型コネクタ。
【請求項５】
前記コンタクト及び前記シェルが前記ハウジングに圧入される部分の周囲がシールされていることを特徴とする請求項１〜４のいずれか１の請求項に記載の防水型コネクタ。
【請求項６】
前記コンタクト及び前記シェルが挿入される前記ハウジングの内部には、前記コンタクト及び前記シェルの挿入方向に交差する方向に弾性膜状部材が張着された圧入空間が形成されていることを特徴とする請求項１〜４のいずれか１の請求項に記載の防水型コネクタ。
【発明の詳細な説明】
【技術分野】
【０００１】
本発明は、プラグコネクタが嵌脱自在に接続される防水型レセプタクルコネクタ等、防水型コネクタに関するものである。
【背景技術】
【０００２】
従来、携帯電話等の機器に電池を内蔵したまま充電するために充電器が使用されており、この充電器にはコード先端のプラグコネクタが嵌脱自在に接続されるレセプタクルコネクタが取り付けられている（例えば、特許文献１又は２参照）。
【先行技術文献】
【特許文献】
【０００３】
【特許文献１】特開２００９−２４７１６１号公報
【特許文献２】特開２０１１−６１９１５号公報
【発明の概要】
【発明が解決しようとする課題】
【０００４】
しかしながら、上記した従来の充電器に設置されるレセプタクルコネクタは、構造的に防水性能を有することが難しく、内部に水滴が浸入する虞があるため、充電回路がショートして発熱したり、損傷したりするといった問題がある。
【０００５】
本発明は、上記した課題を解決すべくなされたものであり、内部に水滴が浸入することのない防水性能を有し、製品の依頼性及び耐久性を高めることのできる防水型コネクタを提供することを目的とするものである。
【課題を解決するための手段】
【０００６】
上記した目的を達成するため、本発明は、樹脂製のハウジングと、該ハウジング内に挿入される金属製のコンタクト及びシェルと、を備える、コネクタであって、前記コンタクト及び前記シェルが前記ハウジングに圧入されることで防水性能を有することを特徴とする。
【０００７】
また、本発明に係る防水型コネクタにおいて、前記コンタクト及び前記シェルは外側に突出する突起が形成された圧入部を備え、該圧入部は前記突起から前記ハウジングに対する前記シェル及び前記コンタクトの挿入方向に沿って次第に幅狭となる傾斜部を備えていてもよい。
【０００８】
また、本発明に係る防水型コネクタにおいて、前記コンタクト及び前記シェルが挿入される前記ハウジングの内部には、前記コンタクト及び前記シェルの挿入方向に沿って次第に細くなる圧入空間が形成されていてもよい。
【０００９】
また、本発明に係る防水型コネクタにおいて、前記コンタクト及び前記シェルが挿入される前記ハウジングの内部には、内面が撥水加工された圧入空間が形成されていてもよい。
【００１０】
また、本発明に係る防水型コネクタにおいて、前記コンタクト及び前記シェルが前記ハウジングに圧入される部分の周囲がシールされていてもよい。
【００１１】
また、本発明に係る防水型コネクタにおいて、前記コンタクト及び前記シェルが挿入される前記ハウジングの内部には、前記コンタクト及び前記シェルの挿入方向に交差する方向に弾性膜状部材が張着された圧入空間が形成されていてもよい。
【発明の効果】
【００１２】
本発明によれば、コンタクト及びシェルをハウジングに圧入するだけの簡単な構造で防水性能を有することができる。したがって、充電器ケース等の機器の内部に水滴が浸入する虞がなく、製品の信頼性及び耐久性の向上を図ることができる等、種々の優れた効果を得ることができる。
【図面の簡単な説明】
【００１３】
【図１】本発明の実施の形態に係る防水型レセプタクルコネクタを組み込んだ充電器を示す断面図である。
【図２】本発明の実施の形態に係る防水型レセプタクルコネクタを示す斜視図である。
【図３】本発明の実施の形態に係る防水型レセプタクルコネクタの組立工程を示す斜視図である。
【図４】本発明の実施の形態に係る防水型レセプタクルコネクタの組立工程を示す斜視図である。
【図５】本発明の実施の形態に係る防水型レセプタクルコネクタの組立工程を示す斜視図である。
【図６】本発明の実施の形態に係る防水型レセプタクルコネクタの組立工程を示す斜視図である。
【図７】本発明の実施の形態に係る防水型レセプタクルコネクタにおいてコンタクトをハウジングに圧入した状態を示す断面図である。
【図８】本発明の実施の形態に係る防水型レセプタクルコネクタにおいてシェルをハウジングに圧入した状態を示す断面図である。
【発明を実施するための形態】
【００１４】
以下、図面を参照しつつ、本発明の実施の形態に係る防水型レセプタクルコネクタについて説明する。ここで、図１は本発明の実施の形態に係る防水型レセプタクルコネクタを組み込んだ充電器を示す断面図、図２は本発明の実施の形態に係る防水型レセプタクルコネクタを示す斜視図、図３は本発明の実施の形態に係る防水型レセプタクルコネクタの組立工程を示す斜視図、図４は本発明の実施の形態に係る防水型レセプタクルコネクタの組立工程を示す斜視図、図５は本発明の実施の形態に係る防水型レセプタクルコネクタの組立工程を示す斜視図、図６は本発明の実施の形態に係る防水型レセプタクルコネクタの組立工程を示す斜視図、図７は本発明の実施の形態に係る防水型レセプタクルコネクタにおいてコンタクトをハウジングに圧入した状態を示す断面図、図８は本発明の実施の形態に係る防水型レセプタクルコネクタにおいてシェルをハウジングに圧入した状態を示す断面図である。なお、以下の説明では、本発明の実施の形態に係る防水型レセプタクルコネクタを充電器に使用した場合について例示して説明する。
【００１５】
本実施の形態に係る防水型レセプタクルコネクタ１は、図１に示されているように、扁平な直方体形状の充電器ケース４５の一端部に、プラグコネクタ（図示省略）が嵌脱自在に接続可能なように内設されている。
【００１６】
防水型レセプタクルコネクタ１は、樹脂製のハウジング２と、ハウジング２内に挿入される金属製のコンタクト３及びシェル４と、ハウジング２の両側面に取り付けられる金属製のアンカー５と、を備えて構成されており、充電器ケース４５内の基板６上に面実装されるようになっている。
【００１７】
なお、以下の説明において、上下の向きは、便宜上、図１に示すように充電器用ケース２を平置きにした姿勢を基準として説明する。
【００１８】
ハウジング２は、モールド金型により成形され、一端部２ａ側に開口７を有する凹部８を備えている。凹部８の内部は、図１に示されているように、他端部２ｂから片持ち梁状に水平に延出する板状の仕切部９によって、上側凹部８ａと該上側凹部８ａより狭い下側凹部８ｂとに仕切られており、上側凹部８ａと下側凹部８ｂとは仕切部９の左右側方空間を介して互いに連通している。
【００１９】
ハウジング２の他端部２ｂには、図５に示されているように、左右両側に下側凹部８ｂの下面側部分に連通するように２個の下側スリット孔１０がそれぞれ形成されていると共に、各下側スリット孔１０の間に下側凹部８ｂの上面側部分に連通するように４個の上側スリット孔１１がそれぞれ形成されている。また、ハウジング２の左右側壁には、上下方向に延びる２本一対の突起部１２ａ，１２ｂがそれぞれ平行に突設されており、一対の突起部１２ａ，１２ｂの互いに対向する内側部には嵌合溝１３ａ，１３ｂがそれぞれ形成されている。
【００２０】
図３、図４及び図７に示されているように、コンタクト３は、細長平板状を成し、屈曲されて基板６上に半田付けされる先端部１４と、ハウジング２内に圧入される中央部１５と、キャリア４４に接続される基端部１６と、により構成されており、製造の際には、プレス金型により成形後、金メッキされ、４本のコンタクト３の基端部１６がキャリア４４で連結されて一体化されている。
【００２１】
各コンタクト３の先端部１４は、ハウジング２の上側スリット孔１１を貫挿可能なように形成され、その先端は先細り形状を有している。
【００２２】
各コンタクト３の中央部１５は、先端部１４より幅広に形成され、先端部１４との間には段差部１７が形成されている。また、中央部１５には、圧入部１８と、圧入部１８の先端側に形成された先端側ガイド部１９と、圧入部１８の基端側に形成された基端側ガイド部２０と、が形成されている。
【００２３】
圧入部１８には、外側に突出する突起２１と、突起２１からハウジング２に対するコンタクト３の挿入方向に沿って次第に幅狭となる傾斜部２２と、が形成されている。先端側ガイド部１９及び基端側ガイド部２０は、同一幅に形成され、圧入部１８の最大幅を有する突起２１より幅狭且つ傾斜部２２の先端側部分より幅広に形成されており、圧入部１８と先端側ガイド部１９及び基端側ガイド部２０との間にはそれぞれ切欠凹部２３，２４が形成されている。
【００２４】
各コンタクト３の基端部１６には、Ｖ字状に下方に屈曲した接点部２５がそれぞれ形成されている。
【００２５】
図４に示されているように、シェル４は、矩形筒状部２６と、矩形筒状部２６の下面の左右両端部から前記挿入方向にそれぞれ延出する先端延出部２７と、を備えて構成されており、製造の際には、プレス金型により成形され、矩形筒状部２６の上面の反挿入方向側中央部にキャリア２８が接続されている。
【００２６】
矩形筒状部２６の上面には、２個の接片部２９が片持ち梁状に切り欠かれて形成されており、各接片部２９の先端にはＶ字状に屈曲した圧接部３０が形成されている。また、矩形筒状部２６の下面には、上面の接片部２９に対応する位置に２個の接片部３１が片持ち梁状に切り欠かれて形成されており、各接片部３１の先端には逆Ｖ字状に屈曲した圧接部３２が形成されている。さらに、矩形筒状部２６の左右側面には、それぞれ接片部３３が片持ち梁状に切り欠かれて形成されており、各接片部３３の先端には内方に突出するように屈曲した圧接部３４が形成されている。
【００２７】
図４、図５及び図８に良く示されているように、シェル４の先端延出部２７は、ハウジング２の下側スリット孔１０を貫挿可能なように細長平板状に形成されており、屈曲されて基板６上に半田付けされる先端部３５と、ハウジング２内に圧入される基端部３６と、により構成されている。基端部３６には、圧入部３７と、圧入部３７の基端側に形成されたガイド部３８と、が形成されている。圧入部３７には、外側に突出する突起３９と、突起３９から前記挿入方向に沿って次第に幅狭となる傾斜部４０と、が形成されており、また、ガイド部３８は、圧入部３７より幅狭に形成されている。
【００２８】
図２及び図６に示されているように、アンカー５は、ハウジング２の突起部１２ａ，１２ｂの嵌合溝１３ａ，１３ｂに嵌合可能な平板状に形成され、製造の際には、プレス金型により成形され。上端にキャリア４１が接続されている。また、アンカー５の下端部には、外側に直角に屈曲された固定部４２が設けられており、固定部４２にはＵ字状の切欠部４３が形成されている。
【００２９】
次に、上記した構成を備えた本発明の実施の形態に係る防水型レセプタクルコネクタ１を組み立てて充電器ケース４５に組み込む手順について説明する。
【００３０】
先ず、図３に示すように、キャリア４４で連結された４本のコンタクト３を、ハウジング２の一端部２ａ側から仕切部９の下面に沿って下側凹部８ｂ内に挿入し、先端部１４を上側スリット孔１１に貫挿させる。そうすると、各コンタクト３の圧入部１８は先端側ガイド部１９及び基端側ガイド部２０に案内されながらハウジング２内に圧入され、コンタクト３の先端部１４と中央部１５との間に形成された段差部１７がハウジング２の他端部２ｂに当接することにより、コンタクト３は所定位置に固定される。
【００３１】
この時、圧入部１８に傾斜部２２が形成されていると共に、圧入部１８の先端側及び基端側にそれぞれ先端側ガイド部１９及び基端側ガイド部２０が形成されているため、コンタクト３の圧入作業を円滑且つ容易に行うことができる。
【００３２】
その後、キャリア４４をコンタクト３から切り離し、図４に示すように、キャリア２８が接続されたシェル４を、ハウジング２の一端部２ａ側から凹部８の内面に沿って凹部８内に挿入し、先端延出部２７を下側スリット孔１０に貫挿させる。そうすると、先端延出部２７の圧入部３７はガイド部３８に案内されながらハウジング２内に圧入され、矩形筒状部２６の前記挿入方向側端面がハウジング２の他端部２ｂに当接することにより、シェル４は所定位置に配置される。また、矩形筒状部２６の上面の各接片部２９の圧接部３０がハウジング２の内面及び仕切部９の上面に圧接すると共に、矩形筒状部２６の左右側面の各接片部３３の圧接部３４が仕切部９の左右側部に圧接し、シェル４はハウジング２内に固定される。
【００３３】
この時、圧入部３７に傾斜部４０が形成されていると共に、圧入部３７の基端側にガイド部３８が形成されているため、シェル４の圧入作業を円滑且つ容易に行うことができる。
【００３４】
その後、キャリア２８をシェル４から切り離し、図５に示すように、各コンタクト３の先端部１４をＬ字形状に屈曲させると共に、シェル４の先端延出部２７をＬ字形状に屈曲させる。また、図６に示すように、キャリア４１で連結されたアンカー５をハウジング２の突起部１２ａ，１２ｂの嵌合溝１３ａ，１３ｂに嵌合させた後、キャリア４１をアンカー５から切り離す。
【００３５】
次に、このようにして組み立てられた防水型レセプタクルコネクタ１（図２参照）を、基板６上に配置し、アンカー５の固定部４２の切欠部４３を介してビスで基板６に固定すると共に、各コンタクト３の先端部１４及びシェル４の先端延出部２７を基板６の所定位置に半田付けによって面実装した後、充電器ケース４５に収納させる（図１参照）。
【００３６】
このように上記した本発明の実施の形態に係る防水型レセプタクルコネクタ１によれば、コンタクト３及びシェル４に圧入部１８，３７を形成するだけの簡単な構造で防水性能を有することができる。したがって、充電器ケース４５の内部に水滴が浸入する虞がなく、充電器ケース４５内の充電回路がショートして発熱したり、損傷したりするのを確実に防止することができ、製品の信頼性及び耐久性の向上を図ることができる。
【００３７】
なお、上記した実施の形態では、コンタクト３及びシェル４に突起２１，３９を設けることで圧入部１８，３７を形成しているが、この構成は単なる例示に過ぎず、本発明は他の各種構成を採用することも可能である。
【００３８】
すなわち、例えば、コンタクト３及びシェル４が挿入されるハウジング２の内部に、コンタクト３及びシェル４の挿入方向に沿って次第に細くなるように圧入空間を形成したり、或いは、その圧入空間の内面やコンタクト３の内面に撥水加工を施したりすることができる。
【００３９】
また、コンタクト３及びシェル４がハウジング２に圧入される部分の周囲をホットメルト樹脂等によってシールを施したりすることもできる。
【００４０】
さらに、コンタクト３及びシェル４が挿入されるハウジング２の内部に、コンタクト３及びシェル４の挿入方向に交差する方向に薄いゴム等の弾性膜状部材を張着した圧入空間を形成し、該圧入空間にコンタクト３及びシェル４を圧入する際に、コンタクト３及びシェル４が前記弾性膜状部材を貫通することにより前記圧入空間の周囲が密閉されるように構成したりすることもできる。
【００４１】
なお、上記した本発明の実施の形態では、本発明に係る防水型レセプタクルコネクタ１を充電器ケース４５に組み込む場合について説明したが、これは単なる例示に過ぎず、本発明に係る防水型レセプタクルコネクタ１は、他の機器に組み込むことも可能であることは言う迄もない。
【００４２】
また、上記した本発明の実施の形態の説明では、プラグコネクタ（図示省略）が嵌脱自在に接続可能なレセプタクルコネクタ１に本発明を適用した場合について説明したが、これは単なる例示に過ぎず、本発明は、プラグコネクタ等、他のすべてのタイプのコネクタに適用可能である。
【００４３】
また、上記した本発明の実施の形態の説明は、本発明に係る防水型レセプタクルコネクタの好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４４】
１          防水型レセプタクルコネクタ
２          ハウジング
３          コンタクト
４          シェル
１８        圧入部
２１        突起
２２        傾斜部
３７        圧入部
３９        突起
４０        傾斜部
【図１】
2014026860.tif 000003
【図２】
2014026860.tif 000004
【図３】
2014026860.tif 000005
【図４】
2014026860.tif 000006
【図５】
2014026860.tif 000007
【図６】
2014026860.tif 000008
【図７】
2014026860.tif 000009
【図８】
2014026860.tif 000010